(57)【要約】【課題】ピンぼけ状態が生じないようにすること。【解決手段】透明ガラス板２上に原稿Ｇを載せ、読取指令信号に基づいてキャリッジ６を移動させて撮像素子７により原稿Ｇの記事を読み取るようにしたイメージ・スキャナにおいて、前記透明ガラス板２の横幅Ｌ１を筐体１の開口部１ａの横幅Ｌ２よりも小さく設定することにより該透明ガラス板２の両側縁と開口部の両側縁との間に左右一対の隙間αが形成され、ガイドシャフト４に沿って移動可能なキャリッジ６の両端から上方に延びて前記各隙間αに挿通した左右一対のアーム１０にガイドローラ１１が設けられ、その各ガイドローラ１１を透明ガラス板２の上面２ａに当接させることにより前記キャリッジ６が透明ガラス板２に移動可能に吊持され、原稿位置決め枠３により前記各隙間αが塞がれている。【選択図】        図２
2004282561.tif 000002
【特許請求の範囲】
【請求項１】
筐体の上面に開設した開口部内に該開口部と同じ大きさの透明ガラス板が配置されると共に、該筐体の上面外周縁に平面視略ロ字状原稿位置決め枠が嵌合され、前記筐体の底面に敷設したガイドシャフト及びガイドレールにキャリッジを移動可能に取り付けることにより該キャリッジが前記透明ガラスから離間され、前記キャリッジに設けた撮像素子の焦点を前記透明ガラス板の上面に一致するように調整しており、透明ガラス板上に原稿を載せ、読取指令信号に基づいてキャリッジを移動させて撮像素子により原稿の記事を読み取るようにしたイメージ・スキャナにおいて、前記透明ガラス板の横幅を筐体の開口部の横幅よりも小さく設定することにより該透明ガラス板の両側縁と開口部の両側縁との間に左右一対の隙間が形成され、前記ガイドレールを省略し、前記ガイドシャフトに沿って移動可能なキャリッジの両端から上方に延びて前記各隙間に挿通した左右一対のアームにガイドローラが設けられ、その各ガイドローラを透明ガラス板の上面に当接させることにより前記キャリッジが透明ガラス板に移動可能に吊持され、前記原稿位置決め枠により前記各隙間が塞がれていることを特徴とするイメージ・スキャナ。
【請求項２】
筐体の上面開口部内に透明ガラス板が配置されると共に、該筐体の上面外周縁に平面視略ロ字状原稿位置決め枠が嵌合され、前記筐体の底面に敷設したガイドシャフトに沿って移動可能なキャリッジに撮像素子が設けられ、該撮像素子の焦点を前記透明ガラス板の上面に一致するように調整しており、透明ガラス板上に原稿を載せ、読取指令信号に基づいてキャリッジを移動させて撮像素子により原稿の記事を読み取るようにしたイメージ・スキャナにおいて、前記キャリッジの両端から上方に延びる左右一対のアームにガイドローラが設けられ、該各ガイドローラを透明ガラス板の上面に当接させることにより前記キャリッジが透明ガラス板に移動可能に吊持されていることを特徴とするイメージ・スキャナ。
【請求項３】
前記透明ガラス板の横幅を筐体の開口部の横幅よりも小さく設定することにより該透明ガラス板の両側縁と開口部の両側縁との間に左右一対の隙間が形成され、該各隙間に前記各アームが挿通されていることを特徴とする請求項２に記載のイメージ・スキャナ。
【請求項４】
前記原稿位置決め枠により前記各隙間が塞がれていることを特徴とする請求項３に記載のイメージ・スキャナ。
【発明の詳細な説明】
【０００１】
【発明の属する技術分野】
本発明は、例えばパーソナルコンピュータに接続されて画像を入力するためのイメージ・スキャナに関する。
【０００２】
【従来の技術】
従来、イメージ・スキャナの技術として特許文献１などに記載したものがあり、その一例を図７及び図８に基づいて説明すると、筐体１の上面に開設した開口部１ａ内に該開口部１ａと同じ大きさの透明ガラス板２が配置されると共に、該筐体１の上面外周縁に平面視略ロ字状原稿位置決め枠３が嵌合され、前記筐体１の底面にガイドシャフト４及びガイドレール５が前後方向ａ，ｂに沿って敷設され、筐体１内に前後方向ａ，ｂとは直交する方向に延びるキャリッジ６の下面に設けた摺動部材６ａ，６ｂをガイドシャフト４及びガイドレール５にそれぞれ移動可能に当接させ、これにより、キャリッジ６が透明ガラス板２から離間され、前記キャリッジ６に設けた撮像素子（ＣＣＤ）７と透明ガラス板２の上面２ａとの間の間隔ｈを精密に設定することにより、撮像素子７の焦点を透明ガラス板２の上面２ａに一致するように調整している。図７中、８は透明ガラス板２上に開閉可能に配置した押さえ蓋である。
【０００３】
読取り手順を説明すると、押さえ蓋８を上動させ（図７仮想線参照）、透明ガラス板２上に原稿Ｇを載せ、押さえ蓋８を下動させて原稿Ｇを透明ガラス板２の上面に押し付けた後、読取指令信号に基づいて駆動機構（図示せず）によりキャリッジ６を前後方向ａ，ｂに移動させ、撮像素子７により原稿Ｇの記事を読み取る。
【０００４】
【特許文献１】
特開平１０−９３７６９号公報
【０００５】
【発明が解決しようとする課題】
上記従来の構成では、キャリッジ６が透明ガラス板２から離間された状態で筐体１に支持されているため、該筐体１が成形歪みなどにより変形されることにより、キャリッジ６に設けた撮像素子７と透明ガラス板２の上面２ａとの間の間隔ｈが初期値からずれることがあり、これにより、撮像素子７の焦点が透明ガラス板２の上面２ａから位置ずれしてピンぼけ状態となり、原稿Ｇの記事を鮮明に読み取ることが困難になる。
【０００６】
本発明は、上記従来の欠点に鑑み、ピンぼけ状態が生じないようにしたイメージ・スキャナを提供することを目的としている。
【０００７】
【課題を解決するための手段】
上記目的を達成するため、請求項１に記載の発明は、筐体の上面に開設した開口部内に該開口部と同じ大きさの透明ガラス板が配置されると共に、該筐体の上面外周縁に平面視略ロ字状原稿位置決め枠が嵌合され、前記筐体の底面に敷設したガイドシャフト及びガイドレールにキャリッジを移動可能に取り付けることにより該キャリッジが前記透明ガラスから離間され、前記キャリッジに設けた撮像素子の焦点を前記透明ガラス板の上面に一致するように調整しており、透明ガラス板上に原稿を載せ、読取指令信号に基づいてキャリッジを移動させて撮像素子により原稿の記事を読み取るようにしたイメージ・スキャナにおいて、前記透明ガラス板の横幅を筐体の開口部の横幅よりも小さく設定することにより該透明ガラス板の両側縁と開口部の両側縁との間に左右一対の隙間が形成され、前記ガイドレールを省略し、前記ガイドシャフトに沿って移動可能なキャリッジの両端から上方に延びて前記各隙間に挿通した左右一対のアームにガイドローラが設けられ、その各ガイドローラを透明ガラス板の上面に当接させることにより前記キャリッジが透明ガラス板に移動可能に吊持され、前記原稿位置決め枠により前記各隙間が塞がれていることを特徴としている。
【０００８】
上記構成は実施の一形態（図１から図６参照）に対応するものであって、これによれば、透明ガラス板にガイドローラ及びアームを介してキャリッジが吊持されているから、該キャリッジに設けた撮像素子と透明ガラス板の上面との間の間隔を正確に一定に保持することができる。従って、前記撮像素子の焦点を透明ガラス板の上面に確実に一致させて、長期にわたって原稿の記事を鮮明に読み取ることができ、従来問題となっていた筐体の変形によるピンぼけ状態を解消することができる。
【０００９】
ここで重要なことは、前記透明ガラス板の上面が原稿の記事を鮮明に読み取るために精密な平滑面に仕上げられているということであり、これにより、透明ガラス板の上面に沿ってキャリッジを精密に水平移動させることができる。従って、従来のキャリッジを水平移動可能に支持するための高価なガイドレールが不要となり、製作費が安くつく。
【００１０】
前記キャリッジの両端から上方に延びる左右一対のアームが透明ガラス板と開口部との間の各隙間に挿通されているから、該キャリッジを透明ガラス板及び筐体に接触させることなく円滑に往復移動させることができる。
【００１１】
また、既存の筐体に若干の加工を施し、該筐体内に横幅を従来よりわずかに小さく設定した透明ガラス板を嵌め込むだけでよいから、加工費があまり高くならず、経済的である。
【００１２】
更に、原稿位置決め枠により各隙間を塞いで塵埃が筐体内に入り込まないようにしており、該原稿位置決め枠が防塵部材を兼ねているので、その兼ねている分だけ部品点数を少なくして製作費を安くすることができる。
【００１３】
請求項２に記載の発明は、筐体の上面開口部内に透明ガラス板が配置されると共に、該筐体の上面外周縁に平面視略ロ字状原稿位置決め枠が嵌合され、前記筐体の底面に敷設したガイドシャフトに沿って移動可能なキャリッジに撮像素子が設けられ、該撮像素子の焦点を前記透明ガラス板の上面に一致するように調整しており、透明ガラス板上に原稿を載せ、読取指令信号に基づいてキャリッジを移動させて撮像素子により原稿の記事を読み取るようにしたイメージ・スキャナにおいて、前記キャリッジの両端から上方に延びる左右一対のアームにガイドローラが設けられ、該各ガイドローラを透明ガラス板の上面に当接させることにより前記キャリッジが透明ガラス板に移動可能に吊持されていることを特徴としている。
【００１４】
上記構成によれば、透明ガラス板にガイドローラ及びアームを介してキャリッジが吊持されているから、該キャリッジに設けた撮像素子と透明ガラス板の上面との間の間隔を正確に一定に保持することができる。従って、前記撮像素子の焦点を透明ガラス板の上面に確実に一致させて、長期にわたって原稿の記事を鮮明に読み取ることができ、従来問題となっていた筐体の変形によるピンぼけ状態を解消することができる。
【００１５】
ここで重要なことは、前記透明ガラス板の上面が原稿の記事を鮮明に読み取るために精密な平滑面に仕上げられているということであり、これにより、透明ガラス板の上面に沿ってキャリッジを精密に水平移動させることができる。従って、従来のキャリッジを水平移動可能に支持するための高価なガイドレールが不要となり、製作費が安くつく。
【００１６】
請求項３に記載の発明は、請求項２に記載の発明において、前記透明ガラス板の横幅を筐体の開口部の横幅よりも小さく設定することにより該透明ガラス板の両側縁と開口部の両側縁との間に左右一対の隙間が形成され、該各隙間に前記各アームが挿通されていることを特徴としている。
【００１７】
上記構成によれば、キャリッジの両端から上方に延びる左右一対のアームが透明ガラス板と開口部との間の各隙間に挿通されているから、該キャリッジを透明ガラス板及び筐体に接触させることなく円滑に往復移動させることができる。
【００１８】
また、既存の筐体に若干の加工を施し、該筐体内に横幅を従来よりわずかに小さく設定した透明ガラス板を嵌め込むだけでよいから、加工費があまり高くならず、経済的である。
【００１９】
請求項４に記載の発明は、請求項３に記載の発明において、前記原稿位置決め枠により前記各隙間が塞がれていることを特徴としている。
【００２０】
上記構成によれば、原稿位置決め枠により各隙間を塞いで塵埃が筐体内に入り込まないようにしており、該原稿位置決め枠が防塵部材を兼ねているので、その兼ねている分だけ部品点数を少なくして製作費を安くすることができる。
【００２１】
【発明の実施の形態】
図１から図４は本発明の実施の一形態であるイメージ・スキャナを示すものであって、透明ガラス板２の横幅Ｌ１を筐体１の開口部１ａの横幅Ｌ２よりも小さく設定することにより該透明ガラス板２の両側縁と開口部１ａの両側縁との間に左右一対の隙間αが形成され、ガイドシャフト４に沿って移動可能なキャリッジ６が左右一対のアーム１０及びガイドローラ１１を介して透明ガラス板２に吊持され、原稿位置決め枠３により各隙間αが塞がれている。なお、図１中、９は筐体１の後端部内側面に突設された左右一対の枢支軸であって、押さえ蓋８の基端に突設したブラケット８ａの長孔が嵌合されている。上記以外の構成で図７及び図８に示す構成と同一部分に同一符号を付してその説明を省略する。
【００２２】
前記各アーム１０は、図５及び図６に示すように、キャリッジ６の両端から上方に延びて隙間αに挿通されたアーム本体１０ａと、該アーム本体１０ａの上端から直角に折曲されて透明ガラス板２の外周縁上方まで延びる軸受部１０ｂとを有し、該軸受部１０ｂの下面にローラ用凹部１２と該ローラ用凹部１２に連通する左右一対の支軸用凹部１３とが形成されており、前記ローラ用凹部１２内にガイドローラ１１が挿入されると共に、該ガイドローラ１１をベアリング１４を介して回転可能に支持する支軸１１ａの両端が支持リング１５を介して支軸用凹部１３に挿入されている。
【００２３】
読取り手順を説明すると、押さえ蓋８を上動させ（図１仮想線参照）、透明ガラス板２上に原稿Ｇを載せ、押さえ蓋８を下動させて原稿Ｇを透明ガラス板２の上面に押し付けた後、操作部１６（図３参照）またはパーソナルコンピュータの読取指令信号に基づいて駆動機構（図示せず）によりキャリッジ６を駆動する。これによって、両ガイドローラ１１が透明ガラス板２の上面２ａに接して転動されながらキャリッジ６がガイドシャフト４に沿って前後方向ａ，ｂに移動され、撮像素子７により原稿Ｇの記事を読み取る。
【００２４】
上記構成によれば、透明ガラス板２にガイドローラ１１及びアーム１０を介してキャリッジ６が吊持されているから、該キャリッジ６に設けた撮像素子７と透明ガラス板２の上面２ａとの間の間隔ｈを正確に一定に保持することができる。従って、前記撮像素子７の焦点を透明ガラス板２の上面２ａに確実に一致させて、長期にわたって原稿Ｇの記事を鮮明に読み取ることができ、従来問題となっていた筐体１の変形によるピンぼけ状態を解消することができる。また、キャリッジ６の両端部及び中央部が両ガイドローラ１１及びガイドシャフト４により所謂３点支持されているので、該キャリッジ６を前後方向ａ，ｂに沿って安定的に移動させることができる。
【００２５】
ここで重要なことは、前記透明ガラス板２の上面２ａが原稿Ｇの記事を鮮明に読み取るために精密な平滑面に仕上げられているということであり、これにより、透明ガラス板２の上面２ａに沿ってキャリッジ６を精密に水平移動させることができる。従って、従来のキャリッジ６を水平移動可能に支持するためのガイドレール５（図７及び図８参照）が不要となる。このガイドレール５は、長尺でその上面を精密な平滑面に仕上げる必要があるから、高価であり、これを省略することにより、製作費が安くつく。
【００２６】
前記キャリッジ６の両端から上方に延びる左右一対のアーム１０が透明ガラス板２と開口部１ａとの間の各隙間αに挿通されているから、該キャリッジ６を透明ガラス板２及び筐体１に接触させることなく前後方向ａ，ｂに円滑に往復移動させることができる。
【００２７】
また、既存の筐体１に若干の加工を施し、該筐体１内に横幅Ｌ１を従来よりわずかに小さく設定した透明ガラス板２を嵌め込むだけでよいから、加工費があまり高くならず、経済的である。
【００２８】
更に、原稿位置決め枠３により各隙間αを塞いで塵埃が筐体１内に入り込まないようにしており、該原稿位置決め枠３が防塵部材を兼ねているので、その兼ねている分だけ部品点数を少なくして製作費を安くすることができる。
【００２９】
【発明の効果】
請求項１に記載の発明によれば、実施の一形態（図１から図６参照）に示すように、透明ガラス板にガイドローラ及びアームを介してキャリッジが吊持されているから、該キャリッジに設けた撮像素子と透明ガラス板の上面との間の間隔を正確に一定に保持することができる。従って、前記撮像素子の焦点を透明ガラス板の上面に確実に一致させて、長期にわたって原稿の記事を鮮明に読み取ることができ、従来問題となっていた筐体の変形によるピンぼけ状態を解消することができる。
【００３０】
ここで重要なことは、前記透明ガラス板の上面が原稿の記事を鮮明に読み取るために精密な平滑面に仕上げられているということであり、これにより、透明ガラス板の上面に沿ってキャリッジを精密に水平移動させることができる。従って、従来のキャリッジを水平移動可能に支持するための高価なガイドレールが不要となり、製作費が安くつく。
【００３１】
前記キャリッジの両端から上方に延びる左右一対のアームが透明ガラス板と開口部との間の各隙間に挿通されているから、該キャリッジを透明ガラス板及び筐体に接触させることなく円滑に往復移動させることができる。
【００３２】
また、既存の筐体に若干の加工を施し、該筐体内に横幅を従来よりわずかに小さく設定した透明ガラス板を嵌め込むだけでよいから、加工費があまり高くならず、経済的である。
【００３３】
更に、原稿位置決め枠により各隙間を塞いで塵埃が筐体内に入り込まないようにしており、該原稿位置決め枠が防塵部材を兼ねているので、その兼ねている分だけ部品点数を少なくして製作費を安くすることができる。
【００３４】
請求項２に記載の発明によれば、透明ガラス板にガイドローラ及びアームを介してキャリッジが吊持されているから、該キャリッジに設けた撮像素子と透明ガラス板の上面との間の間隔を正確に一定に保持することができる。従って、前記撮像素子の焦点を透明ガラス板の上面に確実に一致させて、長期にわたって原稿の記事を鮮明に読み取ることができ、従来問題となっていた筐体の変形によるピンぼけ状態を解消することができる。
【００３５】
ここで重要なことは、前記透明ガラス板の上面が原稿の記事を鮮明に読み取るために精密な平滑面に仕上げられているということであり、これにより、透明ガラス板の上面に沿ってキャリッジを精密に水平移動させることができる。従って、従来のキャリッジを水平移動可能に支持するための高価なガイドレールが不要となり、製作費が安くつく。
【００３６】
請求項３に記載の発明によれば、キャリッジの両端から上方に延びる左右一対のアームが透明ガラス板と開口部との間の各隙間に挿通されているから、該キャリッジを透明ガラス板及び筐体に接触させることなく円滑に往復移動させることができる。
【００３７】
また、既存の筐体に若干の加工を施し、該筐体内に横幅を従来よりわずかに小さく設定した透明ガラス板を嵌め込むだけでよいから、加工費があまり高くならず、経済的である。
【００３８】
請求項４に記載の発明によれば、原稿位置決め枠により各隙間を塞いで塵埃が筐体内に入り込まないようにしており、該原稿位置決め枠が防塵部材を兼ねているので、その兼ねている分だけ部品点数を少なくして製作費を安くすることができる。
【図面の簡単な説明】
【図１】本発明の実施の一形態であるイメージ・スキャナの縦断面図である。
【図２】同横断面図である。
【図３】同一部切欠き平面図である。
【図４】同分解斜視図である。
【図５】同要部の拡大横断面図である。
【図６】同要部の拡大縦断面図である。
【図７】従来例を示す横断面図である。
【図８】同要部の斜視図である。
【符号の説明】
１          筐体
１ａ        開口部
２          透明ガラス板
２ａ        透明ガラス板の上面
３          原稿位置決め枠
４          ガイドシャフト
５          ガイドレール
６          キャリッジ
７          撮像素子
１０        アーム
１１        ガイドローラ
Ｌ１        透明ガラス板の横幅
Ｌ２        開口部の横幅
α          隙間
Ｇ          原稿
【図１】
2004282561.tif 000003
【図２】
2004282561.tif 000004
【図３】
2004282561.tif 000005
【図４】
2004282561.tif 000006
【図５】
2004282561.tif 000007
【図６】
2004282561.tif 000008
【図７】
2004282561.tif 000009
【図８】
2004282561.tif 000010